(57)【要約】【課題】  住宅等の建築物の開口部に取り付ける開き扉の施工時に、微妙な扉建て付け調整が極めて簡単に可能で、しかも、熟練工でなくても作業性良く、しかも、精度良く可能な蝶番で、さらに、調整孔に目隠しキャップをはめることにより外観意匠性が向上しキャップをはめたままでも簡単に調整可能な調整機能付き蝶番を安価に提供する。【解決手段】  軸芯部で連結され調整孔を有する左右の平板部と、前記調整孔と見合う位置に調整ネジ孔を有し前記平板部の一方と係合し傾斜底面を有する調整部材と、該調整部材の裏面に設けられた取付板と、調整ネジとからなる調整蝶番であって、前記調整ネジ部に調整のための表示が設けるようにした。【選択図】        図３
2008175018.tif 000002
【特許請求の範囲】
【請求項１】
軸芯部で連結され調整孔、固定孔を有する左右の平板部と、一方の平板部の高さ方向の略中央部を延出させて形成された調整片と、傾斜底面を有し前記調整片と裏面から係合する調整部材と、該調整部材の裏面に設けられた取付板と、調整ネジ、固定ネジとからなる調整蝶番であって、前記調整ネジの箇所に調整のための表示が設けられていることを特徴とする調整蝶番。
【請求項２】
前記調整のための表示が調整ネジ頭表面及び調整孔周縁部の調整片表面の少なくともいずれか一方に設けられた調整目盛り、調整手順であることを特徴とする請求項１に記載の調整蝶番。
【請求項３】
前記調整孔にキャップが着脱自在に設けられ、該キャップに調整目盛り、調整ネジ名、調整方向の少なくとも何れか１つ以上が表示されていることを特徴とする請求項１又は請求項２のいずれかに記載の調整蝶番。
【請求項４】
前記左右平板部の少なくともいずれか一方に表面カバーが設けられ、該表面カバーに建て付け調整手順が表示されていることを特徴とする請求項１〜請求項３のいずれかに記載の調整蝶番。
【発明の詳細な説明】
【技術分野】
【０００１】
本発明は、開き扉の扉取り付け位置を調整し建て付け調整が可能な蝶番に関する。
【背景技術】
【０００２】
従来からある開き扉の蝶番は２枚の羽根板からなり、一方の羽根板を枠に取り付け、他方の羽根板を扉に取り付け、枠内に扉を納め、扉を枠内に回動自在に取り付けた構造のものが一般的であった。しかし、住宅内部で開口部に開き扉を設置し取り付ける場合、床や壁体の水平、垂直が必ずしも精確良く施工されていない場合が多く、若干の誤差を生じていることが多々あり、ほんのわずかの狂いが原因で開き扉の建て付け不良が生じることが多々あった。この場合、枠に対して扉を閉めた状態（扉閉時）において、扉を正面から見て、次のようなさまざまな支障が生じていた。
【０００３】
第１には、扉左右方向の建て付け調整がよくないと、左右方向に扉が傾き、この左右方向の傾きが扉の高さ方向の上部と下部において異なっていることがある。このような状態であると、扉の上端又は下端が枠にぶつかることがよくあった。
【０００４】
第２には、扉の前後方向（扉を正面から見て扉の厚み方向）の建て付け調整がよくないと、扉を正面から見て扉が手前へ若干倒れる方向に傾くか又は奥方向へ若干倒れる方向に傾くことになる。この場合、枠の高さ方向において、枠前端部と扉表面との間の寸法（枠見込み幅方向の寸法）が扉の高さ方向の上下で若干異なっていることがある。このような状態であると、扉の開閉操作に支障をきたすことがよくあった。
【０００５】
第３には、扉の上下方向の建て付け調整がよくないと、扉の下端部と扉の下枠又は沓刷りとの距離が大きくなりすぎたり、また、逆に小さくなりすぎたりして、極端な場合は扉下端部が下枠又は沓刷りにぶつかることもよくあった。
【０００６】
このような扉等の建具建て付け上の問題点を解決するために、近年では蝶番の左右２枚の羽根板の何れかに建て付け調整機能を付与させたものが開示されており、扉の左右方向、扉の前後方向、扉の上下方向の調整を可能とした調整蝶番が種々用いられている。例えば、左右の羽根板とそれらを連結する軸芯部を上下に分割し上下調整を容易に可能とし、羽根板と嵌合する左右調整部材に傾斜底面を設け左右調整を簡単にできるようにし、該左右調整部材の裏面に受板を設け、調整ネジで扉の建て付け調整を容易に可能とした調整蝶番の記載がある。（例えば、特許文献１参照）。
【０００７】
【特許文献１】実開平８−０００４２２号公報（第１−２頁、第１−８図）
【発明の開示】
【発明が解決しようとする課題】
【０００８】
ところが、上記実開平８−４２２号公報に記載の調整蝶番や、その他種々の従来からある調整蝶番においては、以下に示す種々の問題点があった。すなわち、左右２枚の羽根板の何れかに建て付け調整のための調整手段が設けられている。例えば、扉閉時に扉を正面から見て扉の左右方向の調整手段、扉の前後方向の調整手段が設けられている。左右調整手段は羽根板に設けられた調整孔を利用してドライバーで右又は左に調整ネジを回転させ、ネジ先端部をネジ長さ方向に突出させたり又は引っ込めたりして羽根板部に設けられている傾斜底面を有する調整部材の傾斜を利用して扉を左右方向へ押し出したり又は引っ込めたりすることで扉の左右方向の建て付け調整を可能としたものである。
【０００９】
また、羽根板の片方に設けられた調整部材に扉閉時の扉厚み方向の長穴を設け、該長穴を利用して扉閉時の扉の前後が調整できるようにしたものもある。
【００１０】
しかしながら、前記従来からある調整蝶番の羽根板部の調整孔は、調整ネジが露出し大変見苦しいものであった。また、扉の建て付け調整は前記調整ネジの回転方向及び微妙な回転量で決まり、しかも、扉の蝶番側から見て他方の扉端縁と枠との取り合い部分を目視し、枠と扉端縁との距離やぶつかり具合等を目視しながら行わなければならず、熟練と経験が必要であった。さらに扉の上下の端縁も合わせて目視にて確認しなければならず、調整のための手引き書を読みながら施工現場で行うには困難な作業であり、かなりの熟練工でないと困難な作業であった。
【００１１】
本発明の目的は、住宅等の建築物の開口部に取り付ける開き扉の施工時や施工後長期間経過後における扉建て付け調整で、微妙な調整が極めて簡単に可能で、しかも、熟練工でなくても作業性良く、しかも、精度良く可能な蝶番で、さらに、調整孔に目隠しキャップをはめることにより外観意匠性が向上し、キャップが着脱自在であり、調整時にキャップを極めて簡単に取り外すことができ、キャップをはめたままでも簡単に調整方向と調整量が確認可能で、しかも、場合によっては蝶番そのものを調整手順付き化粧カバーで覆い、外観意匠性と調整作業性をさらに向上させた調整機能付き蝶番を安価に提供することにある。
【課題を解決するための手段】
【００１２】
上記課題を解決するためになされた請求項１に記載の本発明の調整蝶番は、軸芯部で連結され調整孔、固定孔を有する左右の平板部と、一方の平板部の高さ方向の略中央部を延出させて形成された調整片と、傾斜底面を有し前記調整片と裏面から係合する調整部材と、該調整部材の裏面に設けられた取付板と、調整ネジ、固定ネジとからなる調整蝶番であって、前記調整ネジの箇所に調整のための表示が設けられていることを特徴としている。
【００１３】
このような構成を有する本発明によれば、住宅等の建築物の開口部に取り付ける開き扉の施工時や施工後長期間経過後における扉建て付け調整で、微妙な調整が極めて簡単に可能で、しかも、熟練工でなくても作業性良く、しかも、精度良く可能となる。
【００１４】
請求項２に記載の本発明の調整蝶番は、請求項１に記載の調整蝶番において、前記調整のための表示が調整ネジ頭表面及び調整孔周縁部の調整片表面の少なくともいずれか一方に設けられた調整目盛り、調整手順であることを特徴としている。
【００１５】
このような構成を有する本発明によれば、開き扉の前記建て付け調整の微妙な調整作業が、よりいっそう作業性良く、しかも、精度良く行うことができる。また、開き扉の前記建て付け調整が手順どうり正確に行うことができる。
【００１６】
請求項３に記載の本発明の調整蝶番は、請求項１又は請求項２のいずれかに記載の調整蝶番において、前記調整孔にキャップが着脱自在に設けられ、該キャップに調整目盛り、調整ネジ名、調整方向の少なくとも何れか１つ以上が表示されていることを特徴としている。
【００１７】
このような構成を有する本発明によれば、調整孔に目隠しキャップをはめることにより外観意匠性が向上し、キャップが着脱自在であり、調整時にキャップを極めて簡単に取り外すことができる。さらに、キャップをはめたままでも簡単に調整方向と調整量が確認可能で、調整作業にとって好適である。
【００１８】
請求項４に記載の本発明の調整蝶番は、請求項１〜請求項３のいずれかに記載の調整蝶番において、前記左右平板部の少なくともいずれか一方に表面カバーが設けられ、該表面カバーに建て付け調整手順が表示されていることを特徴としている。
【００１９】
このような構成を有する本発明によれば、調整蝶番表面の固定ネジ、調整ネジ等を隠蔽することができ、見た目の外観意匠性がさらに向上したものとなる。また、前記各調整手順が表面カバーＦの表面に記載されていると、建て付け調整の作業性にとっていっそう好適なものとなる。
【発明の効果】
【００２０】
請求項１に記載の発明によれば、住宅等の建築物の開口部に取り付ける開き扉の施工時や施工後長期間経過後における扉建て付け調整で、微妙な調整が極めて簡単に可能で、しかも、熟練工でなくても作業性良く、しかも、精度良く可能となる。
【００２１】
請求項２に記載の発明によれば、開き扉の前記建て付け調整の微妙な調整作業が、よりいっそう作業性良く、しかも、精度良く行うことができる。また、開き扉の前記建て付け調整が手順どうり正確に行うことができる。
【００２２】
請求項３に記載の発明によれば、調整孔に目隠しキャップをはめることにより外観意匠性が向上し、キャップが着脱自在であり、調整時にキャップを極めて簡単に取り外すことができる。さらに、キャップをはめたままでも簡単に調整方向と調整量が確認可能で、調整作業にとって好適である。
【００２３】
請求項４に記載の発明によれば、調整蝶番表面の固定ネジ、調整ネジ等を隠蔽することができ、見た目の外観意匠性がさらに向上したものとなる。また、前記各調整手順が表面カバーＦの表面に記載されていると、建て付け調整の作業性にとっていっそう好適なものとなる。
【発明を実施するための最良の形態】
【００２４】
本発明の詳細を図面に従って説明する。図１は本発明の調整蝶番を示し、（イ）はその正面図で、（ロ）はそのＡ−Ａ線断面図である。図２は扉の建て付け調整方法を示す模式図で、（イ）は扉の左右方向の調整方法を示し、（ロ）は扉の前後方向の調整方法を示す。図３は本発明の調整蝶番の左右調整ネジ部の拡大模式図で、（イ）は調整ネジ部の箇所における調整目盛表示を示し、（ロ）は調整ネジ部にキャップを嵌めた状態を示し、（ハ）はキャップに表示を施した状態を示し、（ニ）は調整ネジ部を調整した後のキャップの表示状態の例を示す。図４は本発明の調整蝶番の前後調整ネジ部の第一実施形態の拡大模式図で、（イ）は調整ネジ部の箇所における調整目盛表示を示し、（ロ）は調整ネジ部にキャップを嵌めた状態を示し、（ハ）はキャップに表示を施した状態を示し、（ニ）は調整ネジ部を調整した後のキャップの表示状態の例を示す。図５は本発明の調整蝶番の前後調整ネジ部の第二実施形態の拡大模式図で、（イ）は調整ネジ部の箇所における調整目盛表示を示し、（ロ）は調整ネジ部にキャップを嵌めた状態を示し、（ハ）はキャップに表示を施した状態を示し、（ニ）は調整ネジ部を調整した後のキャップの表示状態の例を示す。図６は本発明の調整蝶番の平板部に表面カバーを取り付けた状態を示す正面図である。
【００２５】
図１において、（イ）は本発明の調整蝶番１の正面図で表面カバーＦを取り外した状態を示す。また、（ロ）はそのＡ−Ａ線断面図である。本発明の調整蝶番１は主な構成部材として、左右の平板部３と、軸芯部２と、一方の平板部３の高さ方向の略中央部を左右方向に延出させて形成された調整片８と、傾斜底面４ａを有し前記調整片８と裏面側から係合する調整部材４と、該調整部材４の裏面に設けられた取付片９と、調整ネジＮ、固定ネジＫとで構成されている。これに、本発明のキャップＣ、表面カバーＦ、さらに、調整ネジの各種表示が加わって本発明の調整蝶番１が構成されている。
【００２６】
前記左右の平板部３は軸芯部２によって連結されており、本例では左平板部３ａ及び右平板部３ｂとして構成されている。さらに、左右平板部３ａ、３ｂは図１には図示しないが表面カバーＦで覆われている。また、左右調整孔５ａ、５ｂ、前後調整孔６ａ、６ｂ、固定孔７の箇所には図示しないがキャップＣが設けられている。
【００２７】
本例では前記左平板部３ａに平板部を枠１０に枠固定ネジＫ１を用いて固定するための複数個の固定孔７が設けられている。また、前記軸芯部２をはさんで対向する箇所にある右平板部３ｂには高さ方向の略中央部を左右方向に延出させて調整片８が形成されている。
また、前記調整部材４は、その略中央部に凹部Ｕが設けられ傾斜底面４ａが形成されている。該傾斜底面４ａは本例では、正面視右方へいくに従って下る方向のテーパー（正面視右方へいくに従って凹部Ｕが深くなる向きの傾斜）が設けられ、傾斜底面４ａが形成されている。
【００２８】
前記調整片８は前記調整部材４の傾斜底面４ａに対して所定寸法の隙間Ｐ（調整代に相当する）をあけて係合するように設けられている。また前記右平板部３ｂから延出して設けられている調整片８には、調整片固定ネジＫ２用の固定孔７が設けられている。また、前記調整片８にある前記固定孔７の調整片固定ネジＫ２を用いて、前記調整部材４の裏面側に取付片９が取り付けられ、前記調整片８と調整部材４と取付片９が螺着されている。
【００２９】
また、本発明の調整蝶番１は、前記取付片９に設けられている固定孔７を利用して扉木口に固定ネジ（図示せず）を用いて、取付片９が扉１１の木口に取り付け固定されている。右平板部３ｂ側が扉１１の木口面に取り付けられている。さらに、左平板部３ａは固定孔７を利用して枠固定ネジＫ１を用いて、枠１０に取り付け固定されている。
【００３０】
また、前記調整片８には扉１１の左右方向を調整するための左右調整孔５及び扉１１の前後方向を調整するための前後調整孔６が設けられている。前記左右調整孔５及び前後調整孔６は、本例では、調整片８の上部と下部に各１個設けられており、左右調整孔上部５ａ、左右調整孔下部５ｂ、前後調整孔上部６ａ、前後調整孔下部６ｂが設けられている。本例に示すように左右調整孔５及び前後調整孔６は調整片８の上部と下部に各１個づつ設ける場合もあるが、調整片８の略中央部に１個のみであっても、勿論良いものとする。
【００３１】
図２において、図１を参照し、扉１１の建て付け調整方法を述べる。扉１１の建て付け調整は、扉１１の上下方向、左右方向、前後方向の３方向を基本とする。本発明では、この３方向の中で扉の左右方向の調整と前後方向の調整を中心に述べる。扉の上下方向の調整は調整蝶番１の中央にある軸芯部２の高さ方向の略中央部が上下に２分割される構成とされており、その２分割した間にスペーサー（図示せず）を挿入し、挿入するスペーサーの厚みを変えることで、扉１１の上下方向の高さ位置を調整することができる。また、前記軸芯部２が上下に２分割され、図示しないが、前記分割軸芯部にネジ切り加工が施され、該ネジによって分割軸芯どうしの上下方向位置を調整可能とし、よって扉１１の上下方向が調整できる構成も可能である。
【００３２】
図２の（イ）において、扉１１の左右調整について述べる。図２の（イ）は枠付き扉を正面から見たところを示している。図２の（イ）に示すように扉１１の建て付けが悪く、枠１０に対して扉１１を閉めた状態で、枠１０を正面から見て、扉１１の調整蝶番１から遠い方の端縁と枠１０との隙間が扉１１の上部と下部とで異なることがある。本例では扉上部の隙間Ｄ１が小さく枠１０に当たりそうになっている。逆に扉下部の隙間Ｄ２が大きくなりすぎている。このように扉１１が正面視右へ傾いた状態を正常に戻すには、図１に示す本発明の調整蝶番１の前記調整片８と前記調整部材４の傾斜底面４ａとの間の隙間Ｐを調整することで正常な状態に戻すことができる。
【００３３】
すなわち、扉１１を開いた状態とし、先ず、扉１１の上部にある調整蝶番１の調整片固定ネジＫ２を緩め、ドライバーを用いて、本発明の調整蝶番１の右平板部３ｂにある左右調整孔上部５ａと左右調整孔下部５ｂの左右調整ネジ上部Ｎ１と左右調整ネジ下部Ｎ２を締めたり又は緩めたりして、調整片８と調整部材４の傾斜底面４ａとの隙間Ｐを大きくしたり小さくしたりして調整し、このことによって、扉閉時における調整蝶番１の前記左平板部３ａと右平板部３ｂとの間の寸法を小さくしたり大きくしたりして調整する。
【００３４】
このように、扉１１の上部にある調整蝶番１の左右調整ネジ上部Ｎ１及び左右調整ネジ下部Ｎ２を締めると、調整片８が調整部材４の傾斜底面４ａに近づいて、扉閉時における左平板部３ａと右平板部３ｂとの間の寸法が大きくなり両部材（扉閉時における左平板部３ａと右平板部３ｂ）は離間する方向に動く。左平板部３ａと右平板部３ｂとが離間する方向に動くと、図２の（イ）に示す上部隙間Ｄ１が小さくなり、扉１１の上部端縁が枠１０に近づく方向に移動する。すなわち、扉１１がラッチ側（図示せず）に移動する。言い換えると扉１１が調整蝶番１と反対側に移動する。逆に、左右調整ネジ上部Ｎ１及び左右調整ネジ下部Ｎ２を緩めると、調整片８が調整部材４の傾斜底面４ａから離れて、扉閉時における左平板部３ａと右平板部３ｂとの間の寸法が小さくなり両部材（扉閉時における左平板部３ａと右平板部３ｂ）は近づく方向に動く。左平板部３ａと右平板部３ｂとが近づく方向に動くと、図２の（イ）に示す上部隙間Ｄ１が大きくなり、扉１１の上部端縁が枠１０から遠ざかる方向に移動する。すなわち、扉１１が調整蝶番１側に移動する。調整蝶番１は扉１１の上部と下部に１個づつ設けられているので、必要に応じて、下部の調整蝶番１についても、同様にして調整する。
【００３５】
上述したような機構が働くので、図２の（イ）に示すように扉１１が右に傾いた場合は、扉１１の上部にある調整蝶番１の左右調整ネジ上部Ｎ１及び左右調整ネジ下部Ｎ２を緩めて上部隙間Ｄ１を大きくし、また、扉１１の下部にある調整蝶番１の左右調整ネジ上部Ｎ１及び左右調整ネジ下部Ｎ２を締めて下部隙間Ｄ２を小さくするとよい。扉１１の調整蝶番１は扉１１の上部と下部の２箇所に設けられており、扉１１の傾き加減を見ながら、上下両方の調整蝶番１を調整し終われば、左右方向の調整は完了である。調整完了後、調整片固定ネジＫ２を締める。
【００３６】
図２の（ロ）において、扉１１の前後調整について述べる。図２の（ロ）は枠付き扉を枠１０の側面から見たところを示している。正面視右側の枠１０の方から見ている状態である。枠１０の側面の左端が枠付き扉の正面側で、右端が枠付き扉の裏面側である。
【００３７】
図２の（ロ）に示すように、扉１１の建て付けが悪く、枠１０の高さ方向において、枠１０の前端部と扉１１の表面との間の寸法（枠見込み幅方向の寸法）が扉の高さ方向の上下で若干異なっていることがある。すなわち、枠１０に対して扉１１を閉めた状態で、枠１０を右枠側面から見て、扉１１の上部手前側と枠１０の側面左端（枠の正面側）との距離Ｌ１（上部の距離）が小さくなり、逆に扉１１の下部において、扉下部の手前側と枠１０の側面左端（枠の正面側）との距離Ｌ２（下部の距離）が大きくなりすぎている。扉１１の上部と下部とで距離Ｌ１とＬ２とが異なることがある。このように扉１１が正面から見て手前側へ傾いた状態を正常に戻すには、図１に示す本発明の調整蝶番１の前記調整片８と前記調整部材４との正面視左右方向の位置関係を調整することで正常な状態に戻すことができる。
【００３８】
すなわち、扉１１を開いた状態とし、先ず、扉１１の上部にある調整蝶番１の調整片固定ネジＫ２を緩め、前記調整片８に対する調整部材４の位置関係を調整する。すなわち、前記調整片８に前後調整孔上部６ａ及び前後調整孔下部６ｂが設けられており、それらに対応する前記調整部材４の位置には、正面視左右方向に長い長穴Ｙが設けられている。図１に示す本発明の調整蝶番１の正面図を参考にして詳述する。
【００３９】
扉１１の前後調整機構の第一実施形態は、前記調整片８に対する調整部材４の位置関係を調整部材４に力を加えて調整部材４を左右方向へ移動させる方式である。先ず、調整片固定ネジＫ２を緩め、さらに、ドライバーを用いて、本発明の調整蝶番１の右平板部３ｂにある前後調整孔上部６ａの前後調整ネジ上部Ｎ３、及び、前後調整孔下部６ｂの前後調整ネジ下部Ｎ４を緩め、続いて、前記調整部材４に加力し、調整部材４を図１で見て右方又は左方へ若干寸法移動させる。この時、前記調整部材４の上下にある左右方向に長い長穴Ｙを利用して調整部材４を調整片８に対して右方又は左方へ適当量移動させる。
【００４０】
前記調整部材４にある長穴Ｙにはネジは切っておらず、貫通孔である。前後調整ネジＮ３、Ｎ４は前記調整部材４の裏面下方にある取付片９にある雌ネジに螺着されている。調整部材４の調整片８に対する位置関係は前記長穴Ｙを利用し、調整代は上部の長穴Ｙと下部の長穴Ｙとを利用して、調整部材４の上部と下部を、それぞれ適当調整代だけ右方又は左方へ移動させて行う。
【００４１】
前述したように、扉１１に対して、本発明の調整蝶番１は扉の上下に各１個、合計２個設けられており、上方にある調整蝶番１において、図１で見て、調整部材４を調整片８に近づける方向（図１で見て調整部材４を左方向）へ若干寸法移動させると、扉１１の上部は扉１１を正面から見て、手前方向へ若干寸法だけ移動する。また、下方にある調整蝶番１において、図１で見て、調整部材４を調整片８に近づける方向（図１で見て調整部材４を左方向）へ若干寸法移動させると、扉１１の下部も正面から見て手前方向へ若干寸法だけ移動する。
【００４２】
また、逆に、扉１１を正面から見て奥行き方向へ移動させるには、上記と逆の手順に従えばよい。すなわち、扉１１の上方にある調整蝶番１において、図１で見て、調整部材４を調整片８から遠ざける方向（図１で見て調整部材４を右方向）へ若干寸法移動させると、扉１１の上部は正面から見て奥行き方向へ若干寸法だけ移動する。また、下方にある調整蝶番１において、図１で見て、調整部材４を調整片８から遠ざける方向（図１で見て調整部材４を右方向）へ若干寸法移動させると、扉１１の下部も正面から見て奥行き方向へ若干寸法だけ移動する。
【００４３】
扉１１の上部と下部の調整蝶番１において、それぞれ逆方向へ調整することも、勿論、可能であり、扉１１を正面から見て手前方向又は奥行き方向に傾いている場合は、このように、上下の調整蝶番１において逆の方向に調整すればよい。
【００４４】
すなわち、このように、扉１１の調整蝶番１は扉１１の上部と下部の２箇所に設けられており、扉１１の前後方向の傾き加減を見ながら、すなわち、図２の（ロ）に示す上部の距離Ｌ１及び下部の距離Ｌ２の程度をよく確認しながら調整する。上下両方の調整蝶番１を調整し終われば、前後方向の調整は完了である。調整完了後、上下の調整蝶番１の前後調整ネジ６ａ、６ｂ及び調整片固定ネジＫ２を締める。
【００４５】
次に、扉１１の前後調整機構の第二実施形態について述べる。前記調整片８と調整部材４の位置関係（図１で見て左右方向）を調整する際の調整部材４の移動機構は上記したように、調整片固定ネジＫ２及び前後調整孔６ａ、６ｂにある前後調整ネジＮ３、Ｎ４を緩め、調整部材４に加力し調整部材４を移動させるといった調整機構の他に、次に述べる第二実施形態がある。扉１１の前後調整機構の第二実施形態は、前記調整片８に対する調整部材４の位置関係を前後調整ネジＮ３、Ｎ４の周縁に設けた歯（図示せず）と長穴Ｙに設けた直線状の歯（図示せず）をかみ合わせ、ラックピニオン機構を利用して前後調整ネジＮ３、Ｎ４の回転運動を長穴Ｙに設けた直線状の歯（図示せず）に伝えて、調整部材４を左右方向に直線方向に移動させる方式である。
【００４６】
前記ラックピニオン方式において、前記左右方向に細長く形成された長穴Ｙの開口部の周縁が上部周縁（左右方向）及び下部周縁（左右方向）の両方あるが、上部周縁又は下部周縁のいずれかに直線状の歯を設けるとよい。本例では図示しないが、長穴Ｙに設けられている直線状の歯は、長穴Ｙの開口部の上部周縁に設けられている。下部周縁は歯は設けられておらず、しかも、前記前後調整ネジＮ３、Ｎ４に設けられた歯と接触しないように、若干の隙間が設けてある。調整部材４の自重で直線状の歯と前後調整ネジＮ３、Ｎ４の歯が適度な固さでかみ合わされるように構成されている。この点を考慮すると、長穴Ｙの開口部の周縁で上部周縁（左右方向）に直線状の歯を設ける方が好適である。
【００４７】
先ず、前記長穴Ｙの上部周縁で長手方向に直線状に歯を設け、前記前後調整ネジＮ３、Ｎ４の周縁に設けた歯をかみ合わせて前後調整ネジＮ３、Ｎ４の回転運動を調整部材４の左右方向への直線運動へ変換する機構である。この場合の方が微妙な寸法調整が可能となる。図１の例で見て、前後調整ネジＮ３、Ｎ４を、例えば、右回転（時計廻り）させると、それに応じて調整部材４は調整片８から離間する方向へ移動し、扉１１は正面から見て奥側方向へ移動する。また、逆に前後調整ネジＮ３、Ｎ４を、例えば、左方向（反時計廻り）に回転させると、それに応じて調整部材４は調整片８へ近づく方向へ移動し、扉１１は正面から見て手前方向へ移動する。
【００４８】
このように、扉１１の調整蝶番１は扉１１の上部と下部の２箇所に設けられており、扉１１の前後方向の傾き加減を見ながら、すなわち図２の（ロ）に示す上部の距離Ｌ１及び下部の距離Ｌ２の程度をよく確認しながら調整する。上下両方の調整蝶番１を調整し終われば、前後方向の調整は完了である。調整完了後、調整片固定ネジＫ２を締める。
【００４９】
図３において、本発明の調整蝶番１の左右調整ネジＮ１、Ｎ２の箇所に設けられた調整のための表示について述べる。先ず、図３の（イ）に示すように、左右調整ネジＮ１、Ｎ２のネジ頭表面に本例ではプラス形状のドライバー差し込み溝Ｇが設けられ、さらに、基準位置表示Ｊが設けられている。さらに前記ネジ頭表面にキャップＣの裏面の突出部Ｃ２が嵌合するためのキャップ取付穴Ｓが１個設けられている。また、左右調整ネジＮ１、Ｎ２が納まる左右調整孔５ａ、５ｂの周縁の調整片８の表面に左右調整目盛Ｍ１が設けられている。この場合の左右調整目盛Ｍ１は左右調整孔５ａ、５ｂの周囲をぐるりと巡るように表示されている。調整前の状態で、前記基準位置表示Ｊは図示されているように時計で１２時の方向に向くように構成されている。調整後は、前記基準位置表示Ｊは左右調整目盛Ｍ１に沿っていずれかの位置に回転した位置を向くことになる。
【００５０】
図３の（ロ）において、前記左右調整孔５ａ、５ｂにキャップＣを嵌めた状態を示す。このように、左右調整孔５ａ、５ｂにキャップＣを嵌めると表面が平らになり見た目の外観的にも優れたものとなる。キャップＣの裏面に突出部Ｃ２が設けられており、該突出部Ｃ２は前記左右調整ネジＮ１、Ｎ２のネジ頭表面に設けられているキャップ取付穴Ｓに丁度適度な固さで嵌合する大きさと形状を有しており、手でキャップＣの裏面にある突出部Ｃ２を前記キャップ取付穴Ｓに簡単に嵌め込みキャップＣを固定できる。また、逆に手で簡単にキャップＣを取り外すこともできる。キャップＣの表面部Ｃ１にも基準位置表示Ｊが設けられており、キャップＣを嵌め込んだ際、前記左右調整ネジＮ１、Ｎ２のネジ頭表面に設けられている前記基準位置表示Ｊと前記キャップＣの表面部Ｃ１に設けられた基準位置表示Ｊとがぴったりと位置が重なるように構成されている。
【００５１】
図３の（ハ）に示すように、前記キャップＣの表面にキャップ機能表示Ｃ３が設けられている。本例では、キャップＣの表面部Ｃ１に左右調整を行う箇所であることが分かり易いように、左右、という表示が設けられている。
【００５２】
また、前記キャップＣに左右調整方向が表示されていると大変便利である。例えば、扉の左右傾きの修正方向とそれに見合う左右調整ネジＮ１、Ｎ２の回転方向を表示すると調整作業性が向上する。すなわち、扉１１の左右調整において、扉１１の蝶番と反対側の端縁を蝶番側に移動するように調整するための回転方向が、本例では、反時計回転となる矢印として表示されている。また、扉１１の左右調整において、扉１１の蝶番と反対側の端縁をラッチ側（蝶番と反対側）に移動するように調整するための回転方向が、本例では、時計回転となる矢印として表示されている。また、この、左右、という表示や、調整の回転方向の矢印は、前記左右調整ネジＮ１、Ｎ２のネジ頭表面に直接表示してもよい。また、ネジ頭表面とキャップ表面の両方に表示してもよい。
【００５３】
図３の（ニ）に調整後のキャップ表示の例を示す。左右調整ネジＮ１、Ｎ２を調整する場合は、キャップＣをとって、ネジ頭を露出させ、ドライバー差し込み溝Ｇにプラス又はマイナスのドライバーの先端又はこれに代わる治具等を差し込み、扉１１の傾き具合を見ながら、左右調整ネジＮ１、Ｎ２を右又は左に回転させ、左右調整し、調整完了後、キャップＣの裏面の突出部Ｃ２をネジ頭のキャップ取付穴Ｓに手で押し込むと図３の（ニ）に例示したような状態でキャップＣが納まる。この時、左右調整孔５ａ、５ｂの周縁の調整片８の表面に表示されている左右調整目盛Ｍ１に対して、キャップの表面部Ｃ１に設けられたキャップ機能表示Ｃ３及び基準位置表示Ｊは、図示されたようになっている。このように、基準位置表示Ｊが例示したような位置に傾いて、或目盛位置を表示している。この時、前記左右調整目盛Ｍ１に扉１１の左右方向の傾き量に対応する寸法目盛を、例えばミリメートル単位で表示すると、調整の手加減が大変わかり易く、調整作業性にとって好適である。
【００５４】
また、図示しないが、前記左右調整孔５ａ、５ｂの周縁部に左右調整の手順が簡潔に明記されていると、調整のためのマニュアルを持ち出して再度手順を確認しなくても、簡単に調整を行うことが可能となる。
【００５５】
また、前記キャップＣは前記取付穴Ｓと突出部Ｃ２を利用すると簡単に着脱自在となる。また、キャップＣに左右調整目盛Ｍ１を表示し、左右調整孔５ａ、５ｂの周縁の調整片８の表面の丁度時計の１２時の位置に基準位置表示Ｊを設けてもよい。
【００５６】
図４において、本発明の調整蝶番１の前後調整ネジ部の第一実施形態の例を示す。前後調整ネジＮ３、Ｎ４の箇所に設けられた調整のための表示について述べる。先ず、図４の（イ）に示すように、前後調整ネジＮ３、Ｎ４のネジ頭表面に本例ではプラス形状のドライバー差し込み溝Ｇが設けられ、さらに、基準位置表示Ｊが設けられている。さらに前記ネジ頭表面にキャップＣの裏面の突出部Ｃ２が嵌合するためのキャップ取付穴Ｓが１個設けられている。また、前後調整ネジＮ３、Ｎ４が納まる前後調整孔６ａ、６ｂの周縁表面に前後調整目盛Ｍ２が設けられている。この場合の前後調整目盛Ｍ２は前後調整孔６ａ、６ｂの周囲をぐるりと巡るような表示ではなく、例えば、前後調整孔６ａ、６ｂの上部に横方向に直線状に前後調整目盛Ｍ２が表示されている。
【００５７】
前記前後調整目盛Ｍ２は表面側から見えやすい調整片８に設けられているのではなく、調整片８の裏面にある調整部材４の表面に設けられている。従って、本例では横方向に長い長方形の目盛用窓Ｗが調整片８に設けられている。このように前後調整目盛Ｍ２は調整部材４に設けられている。すなわち、調整片８にある前後調整孔６ａ、６ｂのすぐ上に左右方向に細長い目盛用窓Ｗが設けられている（図１には図示していない）。この目盛用窓Ｗによって、調整片８裏面の調整部材４に設けられている前記前後調整目盛Ｍ２が目視にて確認できるような構成とされている。また、前記キャップＣに前後調整方向が表示されていると大変便利である。例えば、扉の前後傾きの修正方向とそれに見合う前後調整ネジＮ３、Ｎ４の移動方向を表示すると調整作業性が向上する。
【００５８】
また、目盛用窓Ｗに前後調整目盛Ｍ２の他に、調整方向として、奥側、手前側、という表示が設けられている。扉の前後傾きの修正方向とそれに見合う前後調整ネジＮ３、Ｎ４の移動方向を目盛用窓Ｗに表示すると調整作業性が向上する。
【００５９】
調整前の状態で、前記基準位置表示Ｊは図示されているように、前記直線状に表示されている前後調整目盛Ｍ２の丁度中央を指すように構成されている。前後調整する際、前後調整ネジＮ３、Ｎ４は調整部材４に設けられている前記長穴Ｙを貫通しつつ、調整部材４が調整片８に対して左右方向へ直線状に移動する構成とされている。前後調整する際は、前記調整片固定ネジＫ２及び前後調整ネジＮ３、Ｎ４を緩め、調整部材４を左右いずれかの方向へ必要量だけ移動させ、調整完了後、調整片固定ネジＫ２及び前後調整ネジＮ３、Ｎ４を締めて固定する。このとき、前後調整ネジＮ３、Ｎ４を締めた際、ネジ頭に表示されている前記基準位置表示Ｊが前後調整目盛Ｍ２の中央から左右いずれかの方向にずれて、しかも、真上に位置するように構成されている。
【００６０】
図４の（ロ）において、前記前後調整孔６ａ、６ｂにキャップＣを嵌めた状態を示す。このように、調整孔にキャップＣを嵌めると表面が平らになり見た目の外観的にも優れたものとなる。キャップＣの裏面に突出部Ｃ２が設けられており、該突出部Ｃ２は前記前後調整ネジＮ３、Ｎ４のネジ頭表面に設けられているキャップ取付穴Ｓに丁度適度な固さで嵌合する大きさと形状を有しており、手でキャップＣの裏面にある突出部Ｃ２を前記キャップ取付穴Ｓに簡単に嵌め込みキャップＣを簡単に固定できる。また、逆に手で簡単にキャップＣを取り外すこともできる。キャップＣの表面部Ｃ１にも基準位置表示Ｊが設けられており、キャップＣを嵌め込んだ際、前記前後調整ネジＮ３、Ｎ４のネジ頭表面に設けられている前記基準位置表示Ｊと前記キャップＣの表面部Ｃ１に設けられた基準位置表示Ｊとがぴったりと位置が重なるように構成されている。
【００６１】
図４の（ハ）に示すように、前記キャップＣの表面にキャップ機能表示Ｃ３が設けられている。本例では、キャップＣの表面部Ｃ１に前後調整を行う箇所であることが分かり易いように、前後、という表示が設けられている。また、この、前後、という表示は前記前後調整ネジＮ３、Ｎ４のネジ頭表面に直接表示してもよい。また、ネジ頭表面とキャップＣの表面の両方に表示してもよい。
【００６２】
図４の（ニ）に調整後のキャップ表示の例を示す。前後調整ネジＮ３、Ｎ４を調整する場合は、キャップＣをとってネジ頭を露出させ、ドライバー差し込み溝Ｇにプラス又はマイナスのドライバーの先端又はこれに代わる治具等を差し込み、扉１１の傾き具合を見ながら、調整片固定ネジＫ２及び前後調整ネジＮ３、Ｎ４を緩め、調整部材４を左右いずれかの方向へ必要量だけ移動させ、調整完了後調整片固定ネジＫ２及び前後調整ネジＮ３、Ｎ４を締めて固定する。このとき、前後調整ネジＮ３、Ｎ４を締めたあと、キャップＣの裏面の突出部Ｃ２をネジ頭のキャップ取付穴Ｓに手で押し込むと図４の（ニ）に例示したような状態でキャップＣが納まる。このようにして、キャップＣを嵌めた時、キャップ表面部Ｃ１に表示されている前記基準位置表示Ｊが、真上に位置するように構成されている。
【００６３】
この時、前後調整孔６ａ、６ｂの上部に表示されている前後調整目盛Ｍ２に対して、キャップの表面部Ｃ１に設けられたキャップ機能表示Ｃ３及び基準位置表示Ｊは、図示されたようになっている。このように、基準位置表示Ｊが例示したような位置に左右いずれかに移動して、或目盛位置を表示している。この時、前記前後調整目盛Ｍ２に扉１１の前後方向の傾き量に対応する寸法目盛を、例えばミリメートル単位で表示すると、調整の手加減が大変わかり易く、調整作業性にとって好適である。
【００６４】
また、図示しないが、前記前後調整孔６ａ、６ｂの周縁部に前後調整の手順が簡潔に明記されていると、調整のためのマニュアルを持ち出して再度手順を確認しなくても、簡単に調整を行うことが可能となる。また、前記キャップＣは前記取付穴Ｓと突出部Ｃ２を利用すると簡単に着脱自在となる。
【００６５】
図５において、本発明の調整蝶番１の前後調整ネジ部の第二実施形態の例を示す。前後調整ネジＮ３、Ｎ４の箇所に設けられた調整のための表示について述べる。先ず、図５の（イ）に示すように、前後調整ネジＮ３、Ｎ４のネジ頭表面に本例ではプラス形状のドライバー差し込み溝Ｇが設けられ、さらに、基準位置表示Ｊが設けられている。さらに前記ネジ頭表面にキャップＣの裏面突出部Ｃ２が嵌合するためのキャップ取付穴Ｓが１個設けられている。また、前後調整ネジＮ３、Ｎ４が納まる前後調整孔６ａ、６ｂの周縁表面に前後調整目盛Ｍ２が設けられている。この場合の前後調整目盛Ｍ２は前後調整孔６ａ、６ｂの周囲をぐるりと巡るように表示されている。調整前の状態で、前記基準位置表示Ｊは図示されているように時計で１２時の方向に向くように構成されている。調整後は、前記基準位置表示Ｊは前後調整目盛Ｍ２に沿っていずれかの位置に回転した位置を向くことになる。この、前後調整ネジ部の第二実施形態における前後調整目盛Ｍ２は調整片８の表面に設けられている。
【００６６】
図５の（ロ）において、前記前後調整孔６ａ、６ｂにキャップＣを嵌めた状態を示す。このように、調整孔にキャップＣを嵌めると表面が平らになり見た目の外観的にも優れたものとなる。キャップＣの裏面に突出部Ｃ２が設けられており、該突出部Ｃ２は前記前後調整ネジＮ３、Ｎ４のネジ頭表面に設けられているキャップ取付穴Ｓに丁度適度な固さで嵌合する大きさと形状を有しており、手でキャップＣの裏面にある突出部Ｃ２を前記キャップ取付穴Ｓに簡単に嵌め込み、キャップＣを固定できる。また、手で簡単にキャップＣを取り外すこともできる。キャップＣの表面部Ｃ１にも基準位置表示Ｊが設けられており、キャップＣを嵌め込んだ際、前記前後調整ネジＮ３、Ｎ４のネジ頭表面に設けられている前記基準位置表示Ｊと前記キャップＣの表面部Ｃ１に設けられた基準位置表示Ｊとがぴったりと位置が重なるように構成されている。
【００６７】
図５の（ハ）に示すように、前記キャップＣの表面にキャップ機能表示Ｃ３が設けられている。本例では、キャップＣの表面部Ｃ１に前後調整を行う箇所であることが分かり易いように、前後、という表示が設けられている。また、この、前後、という表示は前記前後調整ネジＮ３、Ｎ４のネジ頭表面に直接表示してもよい。また、ネジ頭表面とキャップ表面の両方に表示してもよい。
【００６８】
また、前記キャップＣに前後調整方向が表示されていると大変便利である。例えば、扉の前後傾きの修正方向とそれに見合う前後調整ネジＮ３、Ｎ４の回転方向を表示すると調整作業性が向上する。すなわち、前後調整のためのネジ回転方向が、手前側、奥側、という表示と回転方向の矢印とともに表示されていると大変便利である。
【００６９】
図５の（ニ）に調整後のキャップ表示の例を示す。前後調整ネジＮ３、Ｎ４を調整する場合は、キャップＣをとって、ネジ頭を露出させ、ドライバー差し込み溝Ｇにプラス又はマイナスのドライバーの先端又はこれに代わる治具等を差し込み、扉１１の傾き具合を見ながら、調整を行う。調整片固定ネジＫ２及び前後調整ネジＮ３、Ｎ４を緩め、前後調整ネジＮ３、Ｎ４に設けた歯（図示せず）と長穴Ｙに設けた歯（図示せず）をかみ合わせ、ラックピニオン機構を利用して調整ネジの回転運動を長穴Ｙに伝えて、調整部材４を左右いずれかの方向へ必要量だけ移動させ、調整完了後、調整片固定ネジＫ２及び前後調整ネジＮ３、Ｎ４を締めて固定する。
【００７０】
このとき、前後調整ネジＮ３、Ｎ４を締めたあと、キャップＣの裏面の突出部Ｃ２をネジ頭のキャップ取付穴Ｓに手で押し込むと図４の（ニ）に例示したような状態でキャップＣが納まる。このようにして、キャップＣを嵌めた時、キャップ表面部Ｃ１に表示されている前記基準位置表示Ｊが、例えば図示されたように傾いた位置になっている。すなわち、前後調整孔６ａ、６ｂの周縁部に表示されている前後調整目盛Ｍ２に対して、キャップＣの表面部Ｃ１に設けられたキャップ機能表示Ｃ３及び基準位置表示Ｊは、図示されたように傾いた位置になっている。このように、基準位置表示Ｊが例示したような位置に傾いて、或目盛位置を表示している。この時、前記前後調整目盛Ｍ２に扉１１の前後方向の傾き量に対応する寸法目盛を、例えばミリメートル単位で表示すると、調整の手加減が大変わかり易く、調整作業性にとって好適である。
【００７１】
また、図示しないが、前記前後調整孔６ａ、６ｂの周縁部に前後調整の手順が簡潔に明記されていると、調整のためのマニュアルを持ち出して再度手順を確認しなくても、簡単に調整を行うことが可能となる。
【００７２】
また、前記キャップＣは前記取付穴Ｓと突出部Ｃ２を利用すると簡単に着脱自在となる。また、キャップＣに前後調整目盛Ｍ２を表示し、前後調整孔６ａ、６ｂの上部の周縁部の丁度時計の１２時の位置に基準位置表示Ｊを設けてもよい。
【００７３】
図６において、本発明の調整蝶番１の左右平板部３ａ、３ｂに表面カバーＦを取り付けた状態を示す。このように、左右平板部３ａ、３ｂは表面カバーＦで覆われている。表面カバーＦを取り外すと、固定孔７、固定ネジＫ、左右調整孔５、前後調整孔６、調整ネジＮ、キャップＣ、その他各表示等が露出する。前記表面カバーＦは必ずしも必要な部材ではないが、有った方が見た目の外観的にすっきりしたものとなる。また、前記各調整手順が表面カバーＦの表面に記載されていると、扉の建て付け調整作業性にとって、よりいっそう好適なものとなる。
【００７４】
前記表面カバーＦは調整蝶番１の左右平板部３ａ、３ｂの少なくともいずれか一方に設けられ、固定ネジＫ、調整ネジＮ等を目視的に隠すことができる。建て付け調整が必要となった場合、表面カバーＦは簡単に手で取り外すことができる。調整完了後、表面カバーＦを元へもどせば、固定ネジＫ、調整ネジＮを完全に隠蔽することができる。
【００７５】
また、本発明の前記キャップＣや表面カバーＦの材質は、塩ビ樹脂成型体、オレフィン樹脂成型体、アクリル樹脂成型体、ポリエステル樹脂成型体、ポリエチレン樹脂成型体、ウレタン樹脂成型体等を好適なものとして例示できる。
【図面の簡単な説明】
【００７６】
【図１】本発明の調整蝶番を示し、（イ）正面図。（ロ）Ａ−Ａ線断面図。
【図２】扉の建て付け調整方法を示す模式図。（イ）扉の左右方向の調整方法。（ロ）扉の前後方向の調整方法。
【図３】本発明の調整蝶番の左右調整ネジ部の拡大模式図。（イ）調整ネジ部の調整目盛。（ロ）キャップを嵌めた状態。（ハ）キャップの表示。（ニ）調整後のキャップ表示。
【図４】本発明の調整蝶番の前後調整ネジ部の第一実施形態の拡大模式図。（イ）調整ネジ部の調整目盛。（ロ）キャップを嵌めた状態。（ハ）キャップの表示。（ニ）調整後のキャップ表示。
【図５】本発明の調整蝶番の前後調整ネジ部の第二実施形態の拡大模式図。（イ）調整ネジ部の調整目盛。（ロ）キャップを嵌めた状態。（ハ）キャップの表示。（ニ）調整後のキャップ表示。
【図６】本発明の調整蝶番の平板部に表面カバーを取り付けた状態を示す正面図。
【符号の説明】
【００７７】
１      調整蝶番
２      軸芯部
３      平板部
３ａ    左平板部
３ｂ    右平板部
４      調整部材
４ａ    傾斜底面
５      左右調整孔
５ａ    左右調整孔（上部）
５ｂ    左右調整孔（下部）
６      前後調整孔
６ａ    前後調整孔（上部）
６ｂ    前後調整孔（下部）
７      固定孔
８      調整片
９      取付片
１０    枠
１１    扉
Ｄ１    上部隙間
Ｄ２    下部隙間
Ｌ１    上部の距離
Ｌ２    下部の距離
Ｕ      凹部
Ｐ      調整部材の傾斜底面と調整片との隙間
Ｋ      固定ネジ
Ｋ１    枠固定ネジ
Ｋ２    調整片固定ネジ
Ｙ      長穴
Ｎ      調整ネジ
Ｎ１    左右調整ネジ（上部）
Ｎ２    左右調整ネジ（下部）
Ｎ３    前後調整ネジ（上部）
Ｎ４    前後調整ネジ（下部）
Ｆ      表面カバー
Ｃ      キャップ
Ｃ１    表面部
Ｃ２    突出部
Ｃ３    キャップ機能表示
Ｍ１    左右調整目盛
Ｍ２    前後調整目盛
Ｊ      基準位置表示
Ｓ      キャップ取付穴
Ｇ      ドライバー差し込み溝
Ｗ      目盛用窓
【図１】
2008175018.tif 000003
【図２】
2008175018.tif 000004
【図３】
2008175018.tif 000005
【図４】
2008175018.tif 000006
【図５】
2008175018.tif 000007
【図６】
2008175018.tif 000008